(57)【特許請求の範囲】
【請求項１】
ファンから吹き出される空気を室内の壁面に設けられる吹出し口から所望の箇所に向けて吹き出す吹出し口用フィルタユニットを用い、前記吹出し口用フィルタユニットを天井に配置し、該吹出し口用フィルタユニットの吹出し口から吹き出される清浄空気を被供給部に向けて供給するクリーンルームであって、
前記吹出し口用フィルタユニットは、フィルタと、該フィルタよりも吹出し口側に配置され、吹出し方向に沿って重なる傾動可能な２段の方向調整羽根と、を備え、該方向調整羽根のうち上流側の第１方向調整羽根の第１回転軸と、下流側の第２方向調整羽根の第２回転軸とが異なる方向に向けて配置され、前記第１方向調整羽根および前記第２方向調整羽根は、それぞれの回転軸を中心として所望の角度に回転可能に設けられ、
前記吹出し口用フィルタユニットは、
前記吹出し口が前記被供給部の真上の部分より外れた位置に設けられ、
前記第１方向調整羽根および第２方向調整羽根が前記被供給部に向けて吹出し可能な傾斜角度に傾動され、
前記天井には、前記吹出し口用フィルタユニットを挟んだ両側の位置で、かつ前記吹出し口用フィルタユニットと前記室の側壁との間の位置で真下に向けて空気を吹き出す第２のフィルタユニットが設けられ、
前記室の側壁の下部には、吸込み口が配置されていることを特徴とする吹出し口用フィルタユニットを用いたクリーンルーム。
【請求項２】
前記第１回動軸の軸方向と前記第２回動軸の軸方向とが互いに直交していることを特徴とする請求項１に記載の吹出し口用フィルタユニットを用いたクリーンルーム。
【発明の詳細な説明】
【技術分野】
【０００１】
本発明は、吹出し口用フィルタユニットを用いたクリーンルームに関する。
【背景技術】
【０００２】
従来、病院の治療室として、必要に応じてその場で患者の手術（オぺ）を行える機能を備えたハイブリッド型のオぺルームが知られている。この種のオペルームでは、手術中の感染を防ぐ必要があることからクリーンルームとなっており、吹出し口は清浄空気を手術台上の患者に局所的に向けて吹き出すようにして配置されている（例えば、特許文献１参照）。そして、一般的なクリーンルームでは、吹出し口にＨＥＰＡフィルタを設け、吹出し口から清浄空気を低速で真下に向けて落とすようにして吹き出すことで、局所的な清浄化が行われている。そのため、吹出し口は、手術台の真上に設けられている。
【先行技術文献】
【特許文献】
【０００３】
【特許文献１】特開２００６−１１２７５５号公報
【発明の概要】
【発明が解決しようとする課題】
【０００４】
しかしながら従来のオぺルームでは、以下のような問題があった。
すなわち、ハイブリット型のオぺルームでは、治療のみを行う部屋に比べて手術に必要な大型の機器類が手術台の周囲に設けられており、その手術台上方の天井にもそれら機器類を支持したり、移動させるための設備が配置されている。例えば手術台上の患者に沿って移動可能なレントゲン等の大型の機器が手術台の周囲に配置させている。この場合、手術台上方の天井部分には、その手術台の長手方向に沿ってレントゲン機器を移動させるためのレールが延設されている。このような多くの機器が天井部分に設けられていることから、清浄空気を吹出す吹出し口の位置もそれら機器を避けた位置に配置されている。
そのため、吹出し口が手術台の上方部分から外れた位置となり、吹き出された清浄空気が手術台上の患者に局所的にかつ確実に供給することができず、その点で改善の余地があった。
【０００５】
本発明は、上述する問題点に鑑みてなされたもので、吹出しの向きを調整可能とすることで、所望の位置に局所的に清浄空気を供給することができる吹出し口用フィルタユニットを用いたクリーンルームを提供することを目的とする。
【課題を解決するための手段】
【０００６】
上記目的を達成するため、本発明に係る吹出し口用フィルタユニットを用いたクリーンルームでは、ファンから吹き出される空気を室内の壁面に設けられる吹出し口から所望の箇所に向けて吹き出す吹出し口用フィルタユニットを用い、前記吹出し口用フィルタユニットを天井に配置し、該吹出し口用フィルタユニットの吹出し口から吹き出される清浄空気を被供給部に向けて供給するクリーンルームであって、前記吹出し口用フィルタユニットは、フィルタと、該フィルタよりも吹出し口側に配置され、吹出し方向に沿って重なる傾動可能な２段の方向調整羽根と、を備え、該方向調整羽根のうち上流側の第１方向調整羽根の第１回転軸と、下流側の第２方向調整羽根の第２回転軸とが異なる方向に向けて配置され、前記第１方向調整羽根および前記第２方向調整羽根は、それぞれの回転軸を中心として所望の角度に回転可能に設けられ、前記吹出し口用フィルタユニットは、前記吹出し口が前記被供給部の真上の部分より外れた位置に設けられ、前記第１方向調整羽根および第２方向調整羽根が前記被供給部に向けて吹出し可能な傾斜角度に傾動され、前記天井には、前記吹出し口用フィルタユニットを挟んだ両側の位置で、かつ前記吹出し口用フィルタユニットと前記室の側壁との間の位置で真下に向けて空気を吹き出す第２のフィルタユニットが設けられ、前記室の側壁の下部には、吸込み口が配置されていることを特徴としている。
【０００８】
本発明では、上段の第１方向調整羽根と下段の第２方向調整羽根とを適宜な傾斜角度をもって傾動させることによって、吹出し方向を２方向で調整することができるので、吹出し口より吹き出された清浄空気を所望の方向に位置する被供給部に向けて局所的に供給することができる。
また、吹出し口において、フィルタよりも下流側に２段の方向調整羽根が設けられているので、所定角度に設定された２段の方向調整羽根によって方向性をもたせた清浄空気がフィルタを通過することがない。そのため、方向調整羽根を通過した清浄空気が直接、吹出し口から吹き出されるため、清浄空気が整流され、方向性を高めることができる。
【０００９】
上段の第１方向調整羽根と下段の第２方向調整羽根とがそれぞれ２段に分離されているので、それぞれの羽根を個別に適宜な傾斜角度に設定することで、効率の良い清浄空気の供給を行うことができる。
また、この場合、吹出し口用フィルタユニットから被供給部に向けて吹き出される清浄空気（第１清浄空気）は、第２のフィルタユニットから真下に向けて吹き出される清浄空気（第２清浄空気）によって外側から囲われた状態となり、その第１清浄空気の気流が被供給部に到達する前に乱れるのを抑制させることができる。そのため、吹出し口用フィルタユニットから吹き出される必要風量や方向性が安定し、より確実に被供給部に向けて局所的な供給を行うことができる。
【００１０】
また、本発明に係る吹出し口用フィルタユニットを用いたクリーンルームでは、第１回動軸の軸方向と第２回動軸の軸方向とが互いに直交していることが好ましい。
【００１１】
この場合、上段の第１方向調整羽根を通過した清浄空気を下段の第２方向調整羽根で直交する方向に向けて吹き出すことができる。
【発明の効果】
【００１４】
本発明の吹出し口用フィルタユニットを用いたクリーンルームによれば、吹出し口用フィルタユニットの２段の方向調整羽根を通過した清浄空気がフィルタを介さずに方向性を保ったまま所定の方向に向けて吹き出させることが可能であるので、所望の位置の被供給部に対して局所的に清浄空気を供給することができる。
【図面の簡単な説明】
【００１５】
【図１】本発明の実施の形態によるフィルタユニットを用いたクリーンルームの一例を示す平面図である。
【図２】クリーンルームの一方から見た側面図である。
【図３】クリーンルームの他方から見た側面図である。
【図４】本クリーンルームに採用する空調システムの模式図である。
【図５】第１フィルタユニットの構成を示す側断面図である。
【図６】第１フィルタユニットの構成を示す断面図である。
【図７】（ａ）、（ｂ）はクリーンルームの測定結果（気流状況）を示す図である。
【発明を実施するための形態】
【００１６】
以下、本発明の実施の形態による吹出し口用フィルタユニットを用いたクリーンルームについて、図面に基づいて説明する。
【００１７】
図１〜図３に示すように、本実施の形態のクリーンルーム１は、室Ｒの中央にオペ台２（被供給部）が設置されており、そのオペ台２の真上部分に例えば大型のレントゲン等の機器を走行させるための２本のガイドレール３（３Ａ、３Ｂ）が設置されている。図１および図２に示すように、ガイドレール３は、天井１ａにおいてオペ台２の長手方向に沿って平行に配置されている。
なお、平面視において、ガイドレール３の長手方向に沿う方向をＸ方向とし、Ｘ方向に直交する方向をＹ方向とする。
【００１８】
本クリーンルーム１は、オペ台２の上面（患者）に向けて第１清浄空気Ｅ１を供給する２台の対の第１フィルタユニット１０（１０Ａ、１０Ｂ）と、天井１ａにおいてそれら第１フィルタユニット１０Ａ、１０Ｂよりその配列方向（Ｙ方向）で外側に配置される２台の第２フィルタユニット２０（２０Ａ、２０Ｂ）と、部屋の側壁１ｂに配置される吸込み口４とを備えている。
【００１９】
ここで、本クリーンルーム１に採用されている空調系統の概略構成について、図４に基づいて説明する。
図４では、第１フィルタユニット１０と第２フィルタユニット２０とが１台ずつ示している。具体的には、第１プレフィルタ３１を介して給気ファン３２により空調機３３に送り込まれ、空調機３３内の送気ファン３４によって第１フィルタユニット１０と第２フィルタユニット２０を介して室内Ｒに清浄空気Ｅ１、Ｅ２が送り込まれる。ここで、符号３５は温度・湿度設定器を備えて空調機３３を制御する制御盤、符号３６は操作室を示している。
そして、第１フィルタユニット１０と第２フィルタユニット２０とから送り込まれた清浄空気Ｅ１、Ｅ２は、操作室３６と吸込み口４とから排気される。吸込み口４から排気される空気は、第２プレフィルタ３７を介して空調機３３内に戻されてフィルタユニット１０、２０へ送られる循環式となっている。なお、空調機３３には、図示しない冷却コイルや加湿器が設けられ、また室外機３８にも接続されている。
【００２０】
図５および図６に示すように、第１フィルタユニット１０Ａ、１０Ｂは、フィルタ１１と、フィルタ１１よりも吹出し口側に配置され、吹出し方向に沿って重なる傾動可能な２段の方向調整羽根１２、１３と、を備え、方向調整羽根のうち上流側の第１方向調整羽根１２の第１回転軸Ｃ１と、下流側の第２方向調整羽根１３の第２回転軸Ｃ２とが異なる方向に向けて配置されている。第１フィルタユニット１０Ａ、１０Ｂは、平面視においてＹ方向で２本のガイドレール３Ａ、３Ｂを挟んだ両側の位置で、オペ台２の真上の位置からＹ方向で外側にずれた位置に配置されている。
【００２１】
フィルタ１１としては、高性能フィルタ（ＨＥＰＡ（High Efficiency Particulate Air））が採用されている。
方向調整羽根１２、１３は、それぞれの回転軸Ｃ１、Ｃ２を中心として所望の角度に回動可能（傾動可能）な構成となっている。第１方向調整羽根１２は、第１回転軸Ｃ１をＹ方向に向けて配置され、複数の単体の羽根部材１２Ａ、１２Ａ、…が同一方向（ここではＸ方向）に配列されている。第２方向調整羽根１３は、第２回転軸Ｃ２をＸ方向に向けて配置され、複数の単体の羽根部材１３Ａ、１３Ａ、…が同一方向（ここではＹ方向）に配列されている。第１方向調整羽根１２の第１回転軸Ｃ１と第２方向調整羽根１３の第２回転軸Ｃ２とは、互いに直交している。つまり、第１フィルタユニット１０では、上段の第１方向調整羽根１２の向きを回動させることで、Ｘ方向の吹出し方向を調整し、下段の第２方向調整羽根１３の向きを回動させることで、Ｙ方向の吹出し方向を調整することができる。
【００２２】
なお、方向調整羽根１２、１３のそれぞれの羽根部材１２Ａ、１３Ａの数量、配置間隔（ピッチ）、回動可能な傾斜角度などの構成は、室内の広さ、処理風量等の条件に応じて適宜設定可能である。
【００２３】
図１および図２に示す第２フィルタユニット２０Ａ、２０Ｂは、Ｙ方向で２台の第１フィルタユニット１０Ａ、１０Ｂを挟んだ両側に配置され、上述した第１フィルタユニット１０Ａ、１０Ｂの方向調整羽根１２、１３を省略し、フィルタのみを有する構成であり、その他の構成は同様でるので、ここでは詳しい説明を省略する。
【００２４】
次に、上述した構成からなる吹出し口用フィルタユニットを用いたクリーンルームの作用について、図面に基づいて説明する。
図１および図２に示すように、本クリーンルーム１では、第１フィルタユニット１０Ａ、１０Ｂの吹出し口１４から吹き出される第１清浄空気Ｅ１は、オペ台２の上面２ａに向けて流れる。さらに、このとき２台の第２フィルタユニット２０Ａ、２０Ｂの吹出し口２１からも第２清浄空気Ｅ２が真下の方向に向けて吹き出される。このとき、第１フィルタユニット１０Ａ、１０Ｂによる第１清浄空気Ｅ１は、第２清浄空気Ｅ２によって外側から囲われた状態となり、その第１清浄空気Ｅ１の気流がオペ台２に到達する前に乱れるのを抑制させることができる。そのため、第１フィルタユニット１０Ａ、１０Ｂから吹き出される必要風量や方向性が安定し、より確実にオペ台２に向けて局所的な供給を行うことができる（図７参照）。
【００２５】
このように、本実施の形態の第１フィルタユニット１０Ａ、１０Ｂでは、上段の第１方向調整羽根１２と下段の第２方向調整羽根１３とを適宜な傾斜角度をもって傾動させることによって吹出し方向を２方向（Ｘ方向、Ｙ方向）で調整することが可能となるので、吹出し口１４より吹き出された第１清浄空気Ｅ１を所望の方向に位置する被供給部であるオペ台２の上面２ａに向けて局所的に供給することができる。これにより、オペ台２上を確実に清浄化させることができる。
【００２６】
また、第１フィルタユニット１０Ａ、１０Ｂの吹出し口１４において、フィルタ１１よりも下流側に２段の方向調整羽根１２、１３が設けられているので、所定角度に設定された２段の方向調整羽根１２、１３によって方向性をもたせた第１清浄空気Ｅ１がフィルタを通過することがない。そのため、方向調整羽根１２、１３を通過した第１清浄空気Ｅ１が直接、吹出し口１４から吹き出されるため、清浄空気Ｅ１が整流され、方向性を高めることができる。
さらに、上段の第１方向調整羽根１２と下段の第２方向調整羽根１３とがそれぞれ２段に分離されているので、それぞれの羽根１２、１３を個別に適宜な傾斜角度に設定することで、効率の良い清浄空気の供給を行うことができる。
【００２７】
（試験例）
次に、上述したクリーンルーム１における気流状態を確認した試験について、図７に基づいて説明する。
図７（ａ）、（ｂ）に示す試験結果は、室面積６５ｍ２、室容積１８２ｍ３の室において、オペ台２上に必要な設計清浄度クラスを１００００としたとき、第１フィルタユニット１０Ａ、１０Ｂをそれぞれ測定値で１５１０ｍ３／ｈ、１５６４ｍ３／ｈとし、第２フィルタユニット２０Ａ、２０Ｂをそれぞれ測定値で１６１１ｍ３／ｈ、１５８７ｍ３／ｈとして、室内の風向、風速、乱流の強さを測定し、気流状態を確認した。なお、第１フィルタユニット１０Ａ、１０Ｂは図５および図６に示す方向調整羽根１２、１３を傾斜させた斜め吹き出しとしている。なお、本試験の室内には、オペ台２の上方に無影灯Ｍが設けられている。ここで、図７において、矢印の向きは風向、矢印の長さは風速の大きさ、円半径は三次元の乱流の強さを示している。
この結果、第１フィルタユニット１０Ａ、１０Ｂから吹き出される第１清浄空気Ｅ１がオペ台２に向けて局所的に流れ、その第１清浄空気Ｅ１がオペ台２に確実に届いていることが確認できる。
【００２８】
上述のように本実施の形態による吹出し口用フィルタユニットを用いたクリーンルームでは、第１フィルタユニット１０Ａ、１０Ｂの２段の方向調整羽根１２、１３を通過した第１清浄空気Ｅ１がフィルタを介さずに方向性を保ったまま所定の方向に向けて吹き出させることが可能であるので、所望の位置のオペ台２に対して局所的に清浄空気を供給することができる。
【００２９】
以上、本発明による吹出し口用フィルタユニットを用いたクリーンルームの実施の形態について説明したが、本発明は上記の実施の形態に限定されるものではなく、その趣旨を逸脱しない範囲で適宜変更可能である。
例えば、本実施の形態ではオペ台２の真上部分にガイドレール３Ａ、３Ｂが配置されたクリーンルーム１に第１フィルタユニット１０を設ける構成としているが、ガイドレール３Ａ、３Ｂの位置や形状に限定されることはなく、またガイドレール３Ａ、３Ｂに代えて他の機器であってもよい。要は、回転軸方向の異なる２つの方向調整羽根を有する第１フィルタユニット１０は、被供給部に向けて吹出し口の角度を適宜調整することができるので、吹出し口が被供給部の真上の部分より外れた位置に設けられている場合にとくに有効である。
【００３０】
そして、本実施の形態では被供給部としてオペ台２とし、さらにクリーンルーム１としてオペ台２が設けられている医療施設を対象としているが、これらに制限されることはなく、他の設備にも適用することが可能である。
【００３１】
また、本実施の形態では第１方向調整羽根１２の第１回転軸Ｃ１と第２方向調整羽根１３の第２回転軸Ｃ２とが直交しているが、直交であることに制限されることはなく、両回動軸Ｃ１、Ｃ２同士が互いに異なる方向に向けて配置されていればよい。
【００３２】
さらに、第２フィルタユニット２０の位置や数量、吸込み口４の位置、数量などのクリーンルーム１の構成についても部屋の広さ、設置機器の配置に応じて適宜設定することができる。そして、第２フィルタユニット２０については、省略することも可能である。
【００３３】
その他、本発明の趣旨を逸脱しない範囲で、上記した実施の形態における構成要素を周知の構成要素に置き換えることは適宜可能である。
【符号の説明】
【００３４】
１  クリーンルーム
１ａ  天井
２  オペ台（被供給部）
３、３Ａ、３Ｂ  ガイドレール
４  吸込み口
１０、１０Ａ、１０Ｂ  第１フィルタユニット（吹出し口用フィルタユニット）
２０、２０Ａ、２０Ｂ  第２フィルタユニット
１１  フィルタ
１２  第１方向調整羽根
１３  第２方向調整羽根
１４  吹出し口
Ｅ１  第１清浄空気
Ｃ１  第１回転軸
Ｃ２  第２回転軸  
【図１】
0005958738.tif 000002
【図２】
0005958738.tif 000003
【図３】
0005958738.tif 000004
【図４】
0005958738.tif 000005
【図５】
0005958738.tif 000006
【図６】
0005958738.tif 000007
【図７】
0005958738.tif 000008